(57)【要約】【課題】  週刊雑誌の様な文字情報および情報を自己所有のＩＣカードにダビングし、電車等で簡単にみる（聴く）ことの出来る再生表示装置および再生表示方法を得る。【解決手段】  自己持参の消去、書き換え可能なＩＣカードの如きメモリ２８に文字情報または画像情報をダビングし、携帯状態で簡単な操作手段の十字キー４８ａや頁めくりキー４８ｂにより再生表示可能な再生表示装置１４を得る。【選択図】        図１
2004362555.tif 000002
【特許請求の範囲】
【請求項１】
文字情報または画像情報を表示する再生表示装置において、
前記文字情報または画像情報を表示する表示手段と、
前記文字情報または画像情報が記録された記録媒体を着脱可能な着脱手段と、
前記表示手段に表示された文字情報または画像情報を上下左右に移動させる十字キーと、
前記表示手段に表示された文字情報または画像情報の頁めくりを行う頁めくりキーとを備え、
前記記録媒体は、消去または書き込み可能な不揮発性メモリにより構成されるようになす
ことを特徴とする再生表示装置。
【請求項２】
前記記録媒体に記録されている前記文字情報または画像情報は、情報送信装置から非接触で送信されるようになすことを特徴とする請求項１記載の再生表示装置。
【請求項３】
前記記録媒体にはさらに、音情報が記録され、該音情報を出力する音情報出力手段を有するようになす
ことを特徴とする請求項１記載の再生表示装置。
【請求項４】
文字情報または画像情報を表示する再生表示方法において、
前記文字情報または画像情報を表示手段に表示するステップと、
前記文字または画像情報が記録された記録媒体を着脱手段に着脱自在となすステップと、
前記表示手段に表示された文字情報または画像情報を十字キーを介して上下左右に移動させるステップと、
前記表示手段に表示された文字情報または画像情報を頁めくりキーによって頁めくりを行うステップとにより、不揮発性メモリより成る前記記録媒体に消去または書き込みを行う様になすことを特徴とする再生表示方法。
【発明の詳細な説明】
【技術分野】
【０００１】
本発明は週刊漫画雑誌、週刊雑誌、新聞等の様に使い捨てされる情報の再生表示に用いて好適な再生表示装置および再生表示方法に関する。
【背景技術】
【０００２】
従来から週刊誌の如き長期保存の必要性がない出版物を販売する情報自動販売装置として、本出願人は先に図９に示す如きものを提案している。
【０００３】
図９で１４は全体として週刊誌等の長期保存の必要性のない情報を自動販売する情報自動販売装置を示し、この情報自動販売装置１４内には光ディスク等の大容量ディスク１を内蔵している。この大容量ディスク１にはアンテナ２及びチューナ３を介して受信した上記情報をコントローラ１０及びディスクドライバ４等を介しデジタル変換したデータをデータ記録機８に記録する。勿論、予め上記情報を記録したマザー用の大容量ディスク１をセットする様にしてもよく、情報自動販売装置１４の前面にはタッチパネル６と兼用されたＬＣＤの如き表示部５が設けられて、大容量ディスク１に格納された出版物の背表紙が、この表示部５に表示される様に成されている。
【０００４】
更に、この情報自動販売装置１４内にはミニディスク等の情報が記録されていない小容量ディスク７が多数用意されると共にデータ記録機８及びラベルプリンタ９やフォントＲＯＭ等のメモリ１２を有する。尚１１は小容量ディスク７のディスク取出口を示している。
【０００５】
上述の構成で購買者は表示部５に表示された大容量ディスク１中の各種雑誌の背表紙をタッチパネル６上で指示すると、コントローラ１０はメモリ１２から該当のアドレスを定めてこのアドレスを表示部５に供給して指示部を点灯等させると共にディスクドライバ４を駆動して該当のアドレスの情報データを読み出してデータ記録機８へ送って小容量ディスク７に情報データを書き込む。
【０００６】
更に、コントローラ１０はラベルプリンタ９を介して小容量ディスク７に該当の背表紙のタイトル等をプリントしディスク取出口１１からプリント及びデータ書き込みの成された小容量ディスク７を排出して販売を完了する。
【特許文献１】特開平６−１５０１４５号公報（図１）
【発明の開示】
【発明が解決しようとする課題】
【０００７】
上述の従来構成で説明した情報自動販売装置では筐体内に予め通常の雑誌等の自動販売装置と同様に情報記録用の多数の小容量ディスクを用意し、更に、これら小容量ディスクに情報を記録及びラベル印刷をするためのデータ記録機８及びラベルプリンタ９を必要とし、機械的な駆動部分が多く、故障が起こり易く、装置も複雑となっていた。
【０００８】
更に、使い捨てされるものが紙等の雑誌からプラスチック等のディスクに代わっただけで大量発行により材料を大量に消費し、プラスチック等の為に公害発生の要因となる等の問題があった。
【０００９】
本発明は叙上の問題点を解消した情報自動販売装置に用いる再生表示装置および再生表示方法を提供しようとするものであり、その目的とするところは自己所有の消去書き込み可能なフラッシュメモリ等から成るＩＣカードを再生表示可能な再生表示装置を介してテンポラリ（使い捨て）情報を書き込む様にして、紙や小容量ディスク等を大量に消費しない様に成すと共にデータ記録機やラベルプリンタ等の機械的駆動部を無くしたＩＣ等の電気部品のみで簡単に構成可能で、情報伝達の即時性が迅速で、コストも低減された週刊漫画雑誌、週刊雑誌、新聞等を簡単に再生表示可能な電子メディアを得ようとするものである。
【課題を解決するための手段】
【００１０】
本発明の再生表示装置はその例が図４に示されている様に文字情報または画像情報を表示する再生表示装置において、この文字情報または画像情報を表示する表示手段と、この文字情報または画像情報が記録された記録媒体を着脱可能な着脱手段と、この表示手段に表示された文字情報または画像情報を上下左右に移動させる十字キーと、この表示手段に表示された文字情報または画像情報の頁めくりを行う頁めくりキーとを備え、この記録媒体は、消去または書き込み可能な不揮発性メモリにより構成される様にしたものである。
【００１１】
本発明の情報自動販売装置は電話又は通信回路を通じて消去、書き込み可能な大容量の半導体メモリ、磁気ディスク、光磁気ディスク等から成る第１の記録媒体に週刊漫画雑誌の如きテンポラリな情報を記憶させ、自己所有の消去、書き込み可能なＩＣカード如き第２の記録媒体に対価を支払って記憶させ、この情報記録したＩＣカードを簡単に再生可能な再生表示装置等で見る様に成したので、大量発行により大量消費される漫画雑誌、週刊雑誌等の紙の消費が削減できて電子メディア化が可能な再生表示装置を得ることが出来る。
【発明の効果】
【００１２】
本発明によれば駅の構内売店等で即時にダビングが行え、何度も再記録が可能なので現在の週刊漫画雑誌の販売ルートに代わったメディアを開発することが可能となり、流通時間も迅速で廉価な情報伝達が可能となると共に再生表示装置を介して、電車や野外で簡単に再生表示可能な再生表示装置および再生表示方法が得られる。
【発明を実施するための最良の形態】
【００１３】
以下、本発明の再生表示装置および再生表示方法に用いる情報自動販売装置の一実施例を図１及び図２によって説明する。
【００１４】
図１及び図２は駅構内の売店、本屋等に置かれた漫画データ、新聞、週刊誌データ等を購入するための情報自動販売装置の系統図及び外観図の一例を示すものである。
【００１５】
先ず図２の外観図について説明する。筐体１５は略々直方体状と成され、その上端部はＬＣＤ等の表示部３３及び各種操作キーを配列した操作部３２を構成するためのテーブル部１５ａと、貨幣投入口１７及びＩＣカード挿脱口１６が配設されているパネル部１５ｂと、屋根となる上面部１５ｃから構成され、これらテーブル部１５ａ、パネル部１５ｂ並に上面部１５ｃは互いに連通されて側面が段状と成され、テーブル部１５ａと上面部１５ｃは平行と成され、これら両板間に傾斜したパネル部１５ｂが配されている。
【００１６】
尚、筐体１５の右側板１５Ｒの下方に設けられた接栓３７は通信回線から情報を授受するための例えばＲＳ−２３２Ｃ用接栓である。勿論、商用電源電圧等も裏板側から供給されている。
【００１７】
テーブル部１５ａには表示部３３の表示画面が直視可能な様に矩形状の透孔３３ａが穿たれ、この透孔３３ａの左右に設けられた操作キー群のスタートキー３２ａによって表示部３３の表示画面上に表示された指示に従って各種操作が行なわれる。
【００１８】
次に図１に従って本例の系統図を説明する。図１で、情報自動販売装置１４の入力用接栓３７には電子雑誌出版社１８から例えば電話回線１９とモデム２０を介して通信回路２１に送出された使い捨てされる漫画データ、週刊雑誌データ、新聞のホットニュースデータ等が供給される。この様な通信回路（又は電話回線）を介して伝送される各種データは外部のコンピュータ２２或は大容量の光ディスク２３等から供給しても良い。
【００１９】
この様な各種データは情報自動販売装置１４内に配された消去、書き込み可能な第１の大容量記録媒体２５に回線インタフェース２４を介して供給される。
【００２０】
上述の第１の記録媒体２５に格納された各種雑誌の雑誌名、発売日、発売価格等は表示部３３にＣＰＵ等のシスコン３０によって表示れる。即ち、シスコン３０はシステムＲＯＭ３４、システムＲＡＭ３５、フォントＲＯＭ３６等から所定の表示文字を選択して表示させる。
【００２１】
第１の記録媒体２５に格納されたデータはＩＣカードインタフェース２６に供給されて、ＩＣカード２８のフォーマットに従ってＩＣカード挿脱口１６の接栓２７に送出される。このＩＣカード挿脱口１６の奥にある接栓２７には情報購買者が持参したＩＣカード２８が挿着される。
【００２２】
２９はこの挿着されたＩＣカードが後述するも記録中は抜けない様にロックするロック機構を示すものである。
【００２３】
貨幣投入口１７は貨幣インタフェース３１と機械的、電気的に関連している。シスコン３０は回線インタフェース２４、第１の記録媒体２５、ＩＣカードインタフェース２６、貨幣インタフェース３１、操作部３２、表示部３３、システムＲＯＭ３４、システムＲＡＭ３５、フォントＲＯＭ３６、ＩＣカードロック機構２９と制御データの授受が行なわれる様に構成されている。
【００２４】
上述の第２のメモリであるＩＣカード２８には漫画データの場合は漫画等の静止画像データ及びこの静止画像に関連した文字データ、即ち、漫画の吹き出し部内の文字及びこの文字を音声に変換した音声データ等が書き込まれる。
【００２５】
この様なＩＣカード１２のメモリは消去、書き込み可能なＥＡＲＯＭ（ｅｌｅｃｔｒｉｃａｌｌｙａｌｔｅｒａｂｌｅＲＯＭ）、ＥＰＲＯＭ（ｅｒａｓａｂｌｅｐｒｏｇｒａｍｍａｂｌｅＲＯＭ）、ＥＥＰＲＯＭ（ｅｌｅｃｔｒｉｃａｌｌｙｅｒａｓａｂｌｅｐｒｏｇｒａｍｍａｂｌｅＲＯＭ）、ＳＲＡＭ（ｓｔａｔｉｃｒａｎｄｏｍａｃｃｅｓｓｍｅｍｏｒｙ) 等であってもよく、特に大容量で且つ書き換え可能回数が多い不揮発性メモリであるＥＥＰＲＯＭと低コストのＥＰＲＯＭのオンボードでの電気的書き換え機能を合わせ持ったフラッシュメモリを用いるのを可とする。
【００２６】
上述の図１及び図２の構成での情報自動販売装置により所定の週刊漫画雑誌を購入する場合の動作を図３のフローによって説明する。
【００２７】
所定の週刊漫画雑誌の情報を買いたいユーザは自己所有の上記した第２のメモリであるＩＣカード２８を持って情報自動販売装置１４の所へ行き、スタートキー３２ａを押圧する（第１ステップＳＴ１）と表示部３３の表示画面上にシステムＲＯＭ３４、システムＲＡＭ３５、フォントＲＯＭ３６によってシスコン３０はメモリ２５に記憶されている漫画雑誌名、発行日等のメニューを表示する（第２ステップＳＴ２）。
【００２８】
購買者がメニューキー３２ｂによって表示部３３の表示画面上のカーソル位置を上下左右に移動させて所定の週刊漫画雑誌の情報を選択する（第３ステップＳＴ３）。
【００２９】
シスコン３０はフォントＲＯＭから表示部３３の表示画面上にその雑誌の価格表示を行うと共に貨幣投入指示を行う（第４ステップＳＴ４）。
【００３０】
第５ステップＳＴ５で貨幣投入口１７から貨幣投入されるとシスコン３０は貨幣インタフェース３１を介して貨幣の真像、価格等のチェックが周知の自動販売機に適用されているシステムで行なわれる。これらチェックが適正であればシスコン３０は表示部に購買者が持参したＩＣカード２８をＩＣカード挿入口１６に挿着する指示を行なう（第６ステップＳＴ６）。
【００３１】
シスコン３０は第７ステップＳＴ７でＩＣカード２８が接栓２７に挿着されたか否かをみて、ＹＥＳであればＩＣカードロック機構２９を動作させる（第８ステップＳＴ８）。
【００３２】
ロック機構は後述するも、このロック機構によって書き込み中にＩＣカード２８の抜き出しが不可能となり、情報の書き込み中等に途中からＩＣカード２８が引き抜けなくなる。
【００３３】
次に第９ステップＳＴ９に於いてシスコン３０は第１の記録媒体２５に格納した情報から指定されたデータをアドレス等に基づいて選択してＩＣカードインタフェース２６によってＩＣカード２８のフォーマットに従って転送し、ＩＣカードに漫画データ吹き出し部の文字データ、この文字データの音声データ等を書き込む。
【００３４】
書き込みが終了すると第１０ステップＳＴ１０ではＩＣカードに書き込まれたデータのチェックを行ない書き込み不良の場合は第１１ステップＳＴ１１に進む、第１１ステップＳＴ１１ではＩＣカード２８が不良であるから交換する様な指示を表示部３３に行なって、第６ステップＳＴ６に戻す。
【００３５】
情報の書き込みチェックがＯＫであれば第１２ステップＳＴ１２によりＩＣカードのロック機構２９を解除することで、ＩＣカード挿脱口１６からＩＣカード２８が指で摘んで引き出せる程度にイジェクトされる。
【００３６】
次に第１３ステップＳＴ１３で表示部にＩＣカード抜き取りを指示すると、購買者は第１４ステップＳＴ１４でＩＣカード２８を抜き取る。最後の第１５ステップＳＴ１５で釣り銭等を排出させて終わりに至ることになる。
【００３７】
この様にユーザは自己所有のＩＣカードに漫画データ及び吹き出し部の文字データに対応する音声データの格納されたＩＣカードを情報自動販売装置で買うことが可能となる。
【００３８】
この様なＩＣカードは例えば携帯型の再生表示装置で電車内で見る（聴く）ことが出来る。
【００３９】
この様な再生表示装置の一実施例を図４で説明する。図４で再生表示装置４５の筐体３８は略々直方体状の箱型に構成され、その大きさはＡ５程度に選択され、厚さを２０ｍｍ程度に選択する。
【００４０】
筐体３８の上面の上部にはＬＣＤ４６等が配設され、表示窓を介して液晶表示画面３９が映出される。このＬＣＤ４６の表示画面は極力見易い様に大きく選択する。スピーカ４７は筐体３８の上板の下部の下面に取り付けられ、上板には放音孔４０が穿たれ、スピーカ４７からの音声信号は放音孔４０を介して放音される。
【００４１】
更に、筐体３８の上板の下部には操作部４８を構成する各種操作スイッチが配列されている。図４で例えば十字キー４８ａは表示画面３９を上下左右に移動させるキーであり、頁めくりキー４８ｂは頁、或は駒送りを行なうためのキーであり、４８ｄは漫画データをモノクロ或はマルチカラーに選択するための切換キーであり、電源キー４８ｃは前側板に設けられたパワー「接断」用のキーであり、その他必要に応じて、各種動作キーが配列される。
【００４２】
筐体３８の例えば右側板には情報記録したＩＣカード２８が挿脱可能なＩＣカード出し入れ口４２が穿設されている。
【００４３】
この様な携帯型の再生表示装置を用いれば電車内或は野外でも簡単に漫画を見ることが出来る。
【００４４】
上述のＩＣカードロック機構２９の種々の構成を図５乃至図８によって説明する。図５Ａ及び図５ＢはＩＣカード２８をＩＣカード挿脱口１６へ挿脱させた場合の略線的側面を示す説明図であり、本例では第１の記録媒体２５から第２のメモリであるＩＣカード２８にダビング、即ち、書き込みを行なっているときには図５Ａの様にＩＣカード２８の先端がＩＣカード挿脱口１６より１ｍｍ程度突出している程度でＩＣカード２８を指先で摘み出せない様に挿入させる。
【００４５】
次に書き込みが終了した段階では図５Ｂに示す様にＩＣカード２８の先端をＩＣカード挿脱口１６より指で摘める程度に突出させる様にイジェクトさせる。
【００４６】
上述の如くイジェクトする構成の一例を図６Ａ及び図６Ｂで説明する。図６ＡはＩＣカード挿脱口１６へＩＣカード２８を挿着した状態を示し、図６Ｂはイジェクト時の状態を示す略線的平面図で、図６Ａに示す様にＩＣカード２８の差し込み時接栓座（ジャック）２７ａは筐体１５側に固定した接栓（プラグ）２７に挿入され、接栓２７及び接栓座２７ａの基台同志が合わさって、図５Ａで説明したと同様の挿入終了状態となり、ＩＣカード挿脱口１６よりＩＣカード２８の先端が１ｍｍ程度突出された状態となり指によりＩＣカード２８が摘み出せない状態となる。
【００４７】
この時、ＩＣカード挿脱口１６の側壁に配設された板バネ５０によってＩＣカード２８の側壁を所定位置に保持する。又、筐体１５のＩＣカード挿脱口１６の奥に矢印Ａ−Ａ′で示す様に摺動自在に配設された押圧棒５１の上端５１ａとＩＣカード２８の底面とは離間され、所定のギャップｇを有する様に成されている。押圧棒５１の他端にはプランジャ５２が取り付けられている。
【００４８】
図６Ｂはイジェクトの為にプランジャ５２を付勢した状態であり、プランジャ５２に設けたバネ力により押圧棒５１の上端５１ａがＩＣカード２８の底面を押圧し、ＩＣカード２８をＩＣカード挿脱口１６より図５Ｂと同様に充分に突出させる様に成される。
【００４９】
図７Ａ及び図７Ｂはイジェクト機構の他の例で図６Ａ及び図６Ｂとの対応部分には同一符号を付して重複説明を省略する。本例ではＩＣカード２８を所定位置に保持するロック機構は板バネ５０でなく、筐体１５のＩＣカード挿脱口１６の側部に設けたボールベアリング５３とスプリング５４によって偏倚手段を構成し、ＩＣカード２８の押し込み時ＩＣカード２８の側面に設けた凹溝５５にボールベアリング５３を嵌合させてクリックモーション的に係合状態と成したものである。又、イジェクト機構はプランジャ５２を付勢する様にするが、押圧棒５１は図７Ａに示す様にピン５６と固定端間に矢印Ａ方向にバネ５７で偏倚されている。
【００５０】
押圧棒５１の他端にはピン５６と直交する様に係止ピン５８を植立し、この係止ピン５８にＬ字状の可動腕５９の一端に形成した係止部６０を係止する。可動腕５９のＬ字状に延びた腕の直交点に回動可能に枢軸６１を形成し、バネ６２によって係止ピン５８に係止部６０を常時係合可能な偏倚力を付与しておく。
【００５１】
図７ＡはＩＣカード２８がＩＣカード挿脱口１６内に押し込まれた状態を示している。この状態でシスコン３０がプランジャ５２を付勢すれば可動腕５９は枢軸６１を中心に時計方向に回動し、可動腕５９の係止部６０から係止ピン５８が外れて、図７Ｂに示す様に押圧棒５１はバネ５７の偏倚力でＩＣカード２８の底面を押圧し接栓２７から接栓座２７ａを引き抜くと共に偏倚手段のボールベアリング５４は凹溝５５を脱してイジェクトされる。プランジャ５２の付勢力を解けば可動腕はバネ６２によって図７Ａの位置に復帰する。ＩＣカード２８をＩＣカード挿脱口１６に挿入する際には係止ピン５８は可動腕５９の係止部６０の頭部６０ａに沿って移動して係止部６０に係止される。
【００５２】
図８Ａ及び図８Ｂはロック機構の更に他の例を示すものである。図８ＡはＩＣカード２８をＩＣカード挿脱口１６へ挿着した状態の側断面図、図８Ｂは平面図を示すものである。
【００５３】
本例の場合のロック機構はＩＣカード２８の側面でロックするのでなく上下板間で２枚の板バネ６３ａ及び６３ｂによってロックする様に成したものである。この構成では押圧棒５１を付勢するイジェクト機構を示していないが、図６及び図７の構成以外に例えばプランジャの代わりにモータを用い、モータの回転力を直動運動に変換する例えばラック及びピニオン、ネジの対隅、カム、すべりクランプ機構等を用い得ることは明らかである。
【００５４】
上述の実施例では情報自動販売装置で出版社側からの情報を自動受信した場合を説明したが、出版社側からの制御信号に基づいて情報自動販売装置側が受信する様にしてもよい。又、貨幣支払はプリペイドカード等でも勿論よく、ＩＣカード挿脱口は複数データを同時ダビング出来る様に複数個設けることも出来る。或は単独の情報のみ取扱う情報自動販売装置であってもよい。
【００５５】
ＩＣカードは接触型で説明したが非接触型が望ましい。フラッシュメモリを載置したＩＣカードでは書き込み速度が比較的遅いので、ＩＣカード構成を複数のチップを並列にし、並列処理することで高速化を図る様に成すを可とする。更に著作権の保護からデータをダビングするプロテクトを行なう様にし、購入者が個人情報収集の為、個人的にはダビング可能なプロテクトを可とする。
【００５６】
本発明の情報自動販売装置は駅構内の売店等で週刊漫画雑誌や速報性の強い新聞、求人雑誌等のその日、その週の内容を購買者が所有する消去、書き込み可能なＩＣメモリに高速ダビングする様に成したので、読み捨てされるテンポラリで速報性の強い各種情報に用いる大量の紙やプラスチック原料が節約され、運送焼却による大気汚染等の環境破壊につながる各種弊害が除去出来ると共に再生表示装置を介して、電車や野外で簡単に再生表示可能な再生表示装置および再生表示方法が得られる。
【図面の簡単な説明】
【００５７】
【図１】本発明の再生表示装置に用いる情報自動販売装置の一実施例を示す系統図である。
【図２】本発明の再生表示装置に用いる情報自動販売装置の一実施例を示す外観図である。
【図３】本発明の再生表示装置に用いる情報自動販売装置の操作手順を示す流れ図である。
【図４】本発明のＩＣカードを再生するための再生表示装置の外観図である。
【図５】本発明の再生表示装置に用いる情報自動販売装置のＩＣカード挿脱状態の略線的説明図である。
【図６】本発明の再生表示装置に用いる情報自動販売装置のＩＣカード挿脱状態説明図（Ｉ）である。
【図７】本発明の再生表示装置に用いる情報自動販売装置のＩＣカード挿脱状態説明図（II）である。
【図８】本発明の再生表示装置に用いる情報自動販売装置のＩＣカード挿脱状態説明図（III)である。
【図９】従来の情報自動販売装置の系統図である。
【符号の説明】
【００５８】
１４情報自動販売装置
１８電子出版社
２５第１の記録媒体
２８第２のメモリ（ＩＣカード）
２９ＩＣカードロック機構
３０シスコン
【図１】
2004362555.tif 000003
【図２】
2004362555.tif 000004
【図３】
2004362555.tif 000005
【図４】
2004362555.tif 000006
【図５】
2004362555.tif 000007
【図６】
2004362555.tif 000008
【図７】
2004362555.tif 000009
【図８】
2004362555.tif 000010
【図９】
2004362555.tif 000011